(57)【要約】【課題】ショウケースや商品陳列棚の棚板から商品が無くなった場合に、顧客に対して棚板に空きスペースが生じていることを感じさせないようにすると共に、商品補充の手間を軽減させる商品サンプルシートを提供する。【解決手段】ショウケースや商品陳列棚の棚板１１１の上に載置される商品サンプルシート１であって、面板状に形成されていると共に、その一方面に商品Ｗの画像が印刷された本体部１ａを備え、本体部１ａは、一方面が上方に向けられた状態で棚板１１１に載置されるとともに、一方面上に、印刷された画像の商品Ｗが載置されるようになっている。また、商品Ｗの画像は、商品Ｗと略同一寸法の大きさになされている。【選択図】図１
0003164715.tif 000002
【実用新案登録請求の範囲】
【請求項１】
ショウケースや商品陳列棚の棚板の上に載置される商品サンプルシートであって、
面板状に形成されていると共に、その一方面に商品の画像が印刷された本体部を備え、
前記本体部は、前記一方面が上方に向けられた状態で前記棚板上に載置されるとともに、前記一方面上に、前記印刷された画像の商品が載置されるようになっており、
さらに、前記商品の画像は、前記商品と略同一寸法の大きさになされていることを特徴とする商品サンプルシート。
【請求項２】
ショウケースや商品陳列棚の棚板の上に載置される商品サンプルシートであって、
面板状になされ、その一方面側に向けて山折りに折り曲げた折曲部を備えた断面視くの字状の弾性を有する本体部を有し、
前記本体部は、前記折曲部から一方側に延びる第１面部及び該折曲部から他方側に延びる第２面部が形成されていると共に、前記第１面部に商品の画像が印刷されており、
前記一方面を上方に向けた状態で前記棚板上に載置され、前記一方面の上に前記印刷された画像の商品が載置されると前記折曲部、前記第１面部及び前記第２面部が荷重により前記棚板側に付勢されて平板状になり、前記載置された商品が取り除かれると、前記弾性により前記折曲部が前記棚板から押し上がり前記第１面部及び前記第２面部が前記棚板に対して斜面を形成するようになっていることを特徴とする商品サンプルシート。
【請求項３】
ショウケースや商品陳列棚の棚板の上に載置される商品サンプルシートであって、
前記棚板の上に載置される面板状の基部と、前記基部の一端から他端側に向けて延びる面板状の商品載置面部とを備えた断面視Ｖ字状の弾性を有する本体部を有し、
前記商品載置面部の一方面には商品の画像が印刷され、
前記商品載置面部を上方に向けた状態で前記棚板上に前記基部が載置され、前記商品載置面部の上に前記印刷された画像の商品が載置されると、前記商品載置面部が該商品の荷重により前記棚板側に付勢され前記基部に当接した状態になり、前記載置された商品が取り除かれると、前記弾性により前記商品載置面部の自由端が押し上がり、該商品載置面部が該基部に対し斜面を形成するようになっていることを特徴とする商品サンプルシート。
【考案の詳細な説明】
【技術分野】
【０００１】
本考案は、商品サンプルシートに関し、例えば、店舗に設置されたショウケースや商品陳列棚の棚板の上に載置されて利用される商品サンプルシートに関する。
【背景技術】
【０００２】
従来から、小売店（スーパマーケット、百貨店、個人商店、コンビニエンスストア、ドラッグストア、惣菜店等）では、店舗内に設置したショウケース（ガラスショウケース等）や商品陳列棚の棚板に、販売する商品を載置し、顧客に商品を見せて販売することが行われている。
【０００３】
例えば、百貨店の惣菜・弁当売り場では、図４に示すような冷蔵ショウケース１００の収容室１０１に設けられた棚板１１１の上に、販売する惣菜２１０ａ、２１０ｂ、２１０ｃを種類毎に並べ、顧客からの要求に応じ、冷蔵ショウケース１００から惣菜２１０ａ、２１０ｂ、２１０ｃを取り出して販売している。
【０００４】
ここで、図示する冷蔵ショウケース１００は、商品を収容する収容室１０１と、収容室１０１を冷蔵する冷蔵装置（圧縮機、凝縮器などにより構成された冷蔵ユニットや電源等の装置）が設置される機械室１０２とを備えている。
収容室１０１は、機械室１０２の上方に載置された断熱性の底板（図示せず）と、ガラス製の前面板１０１ａ、ガラス製の左右の側面板１０１ｂ及び断熱性の上面板１０１ｃによって覆われている。
また、収容室１０１の背面は、ガラス製の引き戸（図示せず）によって開閉するようになされ、当該引き戸から商品の出し入れができるようになっている。
【０００５】
そして、収容室１０１には、２段程度の棚板１１１ａ、１１１ｂが取り付けられ、当該棚板１１１ａ、１１１ｂの上に、商品である惣菜２１０ａ、２１０ｂ、２１０ｃが載置されている。また、棚板１１１ａ、１１１ｂの前側には、惣菜２１０ａ、２１０ｂ、２１０ｃの名称（商品名）や価格を記載した値札３００が立てかけられている。
【０００６】
上記のように商品を展示することで、顧客は、ショウケース１００の前方側から実際の商品（図示する例では、惣菜２１０ａ、２１０ｂ、２１０ｃ）を目で見て、その中身を確認して、当該商品を購入するか否かを判断することができる。
また、店舗側は、ショウケース１００に商品を展示することで、顧客に対して、店舗で取り扱っている商品を案内することができる（宣伝効果が得られる）。
また、店舗側は、ショウケース１００に商品を展示することで、店舗の雰囲気を活気付けて（顧客を楽しい気分にさせ）、顧客の購買意欲を刺激することができる。
なお、上記のような冷蔵ショウケース１００の構成は、例えば、特許文献１に開示されている。
【先行技術文献】
【特許文献】
【０００７】
【特許文献１】特開２０００−２７４９１４号公報
【考案の概要】
【考案が解決しようとする課題】
【０００８】
しかしながら、上述した従来技術は、以下に示す技術的課題を有している。
具体的には、上述した従来技術の「ショウケースに商品を展示して販売する販売方法」は、棚板上に載置した商品が売れ切れて棚板から無くなると（補充できる在庫も無くなると）、棚板上の空きスペース（商品が載置されていないスペース）が大きくなり、見栄えを悪くして店舗の活気を失わせるという技術的課題を有している。
例えば、上述した図４に示す冷蔵ショウケース１００のように、空きスペース（図中の符号Ｓで示す領域）が大きくなると、店舗が寂しい雰囲気になり、商品を展示することによる宣伝効果や購買意欲を刺激する効果が発揮されなくなる。
特に、展示する商品が生鮮食料品（惣菜、弁当、生菓子（ケーキ等））のような在庫数（その日の取り扱い数）が制限されるものである場合、棚板１１１の上に空きスペースＳができる現象が生じ易かった。
【０００９】
また、上述した従来技術の「ショウケースに商品を展示して販売する販売方法」は、棚板上に載置した商品が売れて棚板から無くなった場合に、在庫があれば棚板に新たな同一種の商品を補充することが行われている。
しかし、複数種類の商品を補充しなければならないときに、商品の種類毎に、棚板上の載置位置を確認しなければならず、その手間が大変面倒であり、店員の工数が増え負担となっていた。
【００１０】
本考案は、上記技術的課題を解決するためになされたものであり、本考案の目的は、ショウケースや商品陳列棚の棚板から商品が無くなった場合に、顧客に対して棚板に空きスペースが生じていることを感じさせないようにすると共に、商品補充の手間を軽減させる商品サンプルシートを提供することにある。
【課題を解決するための手段】
【００１１】
上記課題を解決するためになされた本考案の第１態様は、ショウケースや商品陳列棚の棚板の上に載置される商品サンプルシートであって、面板状に形成されていると共に、その一方面に商品の画像が印刷された本体部を備え、前記本体部は、前記一方面が上方に向けられた状態で前記棚板上に載置されるとともに、前記一方面上に、前記印刷された画像の商品が載置されるようになっており、さらに、前記商品の画像は、前記商品と略同一寸法の大きさになされていることを特徴としている。
【００１２】
上記構成により、ショウケースや商品陳列棚の棚板に載置した商品が棚板から無くなった場合であっても、棚板の上には、商品と略同一寸法の大きさの商品画像（商品を撮影したカラー写真等）が印刷された商品サンプルシートが載置された状態になる。
これにより、本考案の第１態様によれば、棚板に載置した商品が棚板から無くなった場合に、顧客の視覚に、商品サンプルシートに印刷された商品画像が映るようになる。
すなわち、本考案の第１態様によれば、棚板に商品がなくても、顧客に対し、あたかも商品が棚板に載置されているように感じさせることができる（棚板に空きスペースが生じていることを感じさせないようにすることができる）。
また、本考案の第１態様によれば、商品が棚板から無くなった場合に、その商品の画像が印刷された商品サンプルシートが載置された状態になっているため、棚板に商品を補充する場合に、棚板上の載置位置を確認する作業が軽減される（店員の負担が軽減される）。
【００１３】
また、本考案の第２態様は、ショウケースや商品陳列棚の棚板の上に載置される商品サンプルシートであって、面板状になされ、その一方面側に向けて山折りに折り曲げた折曲部を備えた断面視くの字状の弾性を有する本体部を有し、前記本体部は、前記折曲部から一方側に延びる第１面部及び該折曲部から他方側に延びる第２面部が形成されていると共に、前記第１面部に商品の画像が印刷されており、前記一方面を上方に向けた状態で前記棚板上に載置され、前記一方面の上に前記印刷された画像の商品が載置されると前記折曲部、前記第１面部及び前記第２面部が荷重により前記棚板側に付勢されて平板状になり、前記載置された商品が取り除かれると、前記弾性により前記折曲部が前記棚板から押し上がり前記第１面部及び前記第２面部が前記棚板に対して斜面を形成するようになっていることを特徴としている。
【００１４】
このように、本考案の第２態様によれば、自身の上に載置された商品が取り除かれた場合、棚板に対して斜面を形成する第１面部に商品の画像が印刷されているため、棚板に載置した商品が棚板から無くなった際に、顧客の視覚に商品の画像が入るようになる（上記の第１態様よりも、斜面を形成している分、顧客の視覚に商品の画像が入り易くなる）。
これにより、本考案の第２態様によれば、棚板に商品がなくても、顧客に対して、棚板に空きスペースが生じていることを感じさせないようにすることができる。
【００１５】
また、第２態様においても、第１態様と同様、商品が棚板から無くなった場合に、その商品の画像が印刷された商品サンプルシートが載置された状態になっているため、棚板に商品を補充する場合に、棚板上の載置位置を確認する作業が軽減される。
なお、本考案の第２態様は、一方面の上に商品が載置された場合に、前記折曲部、前記第１面部及び前記第２面部が荷重により前記棚板に押し当てられて平板状になるため、棚板上の収納スペースの減少を招くことはない。
【００１６】
また、本考案の第３態様は、ショウケースや商品陳列棚の棚板の上に載置される商品サンプルシートであって、前記棚板の上に載置される面板状の基部と、前記基部の一端から他端側に向けて延びる面板状の商品載置面部とを備えた断面視Ｖ字状の弾性を有する本体部を有し、前記商品載置面部の一方面には商品の画像が印刷され、前記商品載置面部を上方に向けた状態で前記棚板上に前記基部が載置され、前記商品載置面部の上に前記印刷された画像の商品が載置されると、前記商品載置面部が該商品の荷重により前記棚板側に付勢され前記基部に当接した状態になり、前記載置された商品が取り除かれると、前記弾性により前記商品載置面部の自由端が押し上がり、該商品載置面部が該基部に対し斜面を形成するようになっていることを特徴としている。
【００１７】
このように、本考案の第３態様によれば、自身の上に載置された商品が取り除かれた場合、斜面を形成する商品載置面部に商品の画像が印刷されているため、棚板に載置した商品が棚板から無くなった際に、顧客の視覚に商品の画像が入るようになる。
これにより、本考案の第３態様によれば、棚板に商品がなくても、顧客に対して、棚板に空きスペースが生じていることを感じさせないようにすることができる。
【００１８】
また、第３態様においても、第１態様と同様、商品が棚板から無くなった場合に、その商品の画像が印刷された商品サンプルシートが載置された状態になっているため、棚板に商品を補充する場合に、棚板上の載置位置を確認する作業が軽減される。
なお、第３態様は、商品載置面部の上に商品が載置された場合に、商品載置面部が商品の荷重により棚板に押し当てられて基部に当接する（商品載置面部及び基部が平面状になる）。そのため、本考案の第３態様は、棚板上の収納スペースの減少を招くことはない。
【００１９】
本考案によれば、ショウケースや商品陳列棚の棚板から商品が無くなった場合に、顧客に対して棚板に空きスペースが生じていることを感じさせないようにすると共に、商品補充の手間を軽減させる商品サンプルシートを提供することができる。
【図面の簡単な説明】
【００２０】
【図１】本考案の第１実施形態の商品サンプルシートの外観を示した模式図である。
【図２】本考案の第２実施形態の商品サンプルシートの外観を示した模式図である。
【図３】本考案の第３実施形態の商品サンプルシートの外観を示した模式図である。
【図４】従来技術の冷蔵ショウケースを示した模式図である。
【考案を実施するための形態】
【００２１】
以下、本考案について図面に基づいて説明する。
先ず、本考案の第１実施形態の商品サンプルシートを図１に基づいて説明する。
ここで、図１は、本考案の第１実施形態の商品サンプルシートの外観を示した模式図であり、図１（ａ）は、商品サンプルシート上に商品が載置されている状態を示した模式図であり、図１（ｂ）は、商品サンプルシート上に載置された商品を持ち上げた状態を示した模式図であり、図１（ｃ）は、商品サンプルシート上に商品が載置されていない状態を示した模式図である。
なお、本実施形態の商品サンプルシート１は、ショウケースや商品陳列棚の棚板の上に載置されて利用されるのが主であるが、以下では、説明の都合上、図４に示した冷蔵ショウケース１００の棚板１１１上に、商品サンプルシート１を載置して利用する場合を例に説明する。
また、第１実施形態の説明では、商品サンプルシート１に印刷される商品の画像が惣菜（容器（例えば、プラスチック製容器）に収容された惣菜）の画像である場合を例にする。
【００２２】
図１に示すように、第１実施形態の商品サンプルシート（以下、単に「サンプルシート」という）１は、平面板状に形成され且つ、その一方面に商品Ｗの画像が印刷された本体部１ａを備えている。
なお、サンプルシート１は、どのような材料で形成されていてもよいが、例えば、ポリ塩化ビニル等の合成樹脂により形成される。
また、前記画像には、カメラで商品Ｗを撮影して得られたカラー写真やコンピュータグラフィックス（Computer Graphics）等で作成した商品Ｗの３次元画像等が用いられる。
また、前記印刷される商品Ｗの画像に、「商品名」や「商品の価格」を示すテキストデータが重ねて印字されていてもよい。或いは、印刷される画像には、商品Ｗの画像だけではなく、「商品名」や「商品の価格」のデータが含まれていてもよい。
【００２３】
また、第１実施形態では、本体部１ａの外縁形状が、印刷された商品の画像の輪郭形状と同様の形状になっている。
また、上記の印刷された商品の画像は、商品Ｗと略同一寸法の大きさになされていることが望ましい。
【００２４】
そして、図１（ａ）に示すように、サンプルシート１の本体部１ａは、一方面（商品Ｗの画像が印刷された面）が上方に向けられた状態で棚板１１１の上に載置され、その一方面上に、前記印刷された画像の商品Ｗが載置されるようになっている。
このように、冷蔵ショウケース１００の棚板１１１上にサンプルシート１を載置し、その上に、商品Ｗを置くことにより、棚板１１１上に載置した商品Ｗが棚板１１１から取り出されて無くなった場合であっても（図１（ｂ）及び図１（ｃ）参照）、棚板１１１の上に、商品Ｗと略同一寸法の大きさの商品Ｗの画像が印刷されたサンプルシート１が載置された状態になる。
【００２５】
これにより、第１実施形態によれば、図１（ｃ）に示すように、棚板１１１の上に商品Ｗが載置されていなくても、顧客の視覚の中に、サンプルシート１に印刷された商品Ｗの画像が入るようになり、顧客に対して、棚板１１１上に、あたかも商品Ｗが載置されているように感じさせることができる。
すなわち、本実施形態のサンプルシート１を利用することにより、棚板１１１の上から商品Ｗが無くなっても、サンプルシート１の商品Ｗの画像により、店舗が寂しい雰囲気になることがなく、商品Ｗが載置されている場合と同様の宣伝効果や購買意欲を刺激する効果が得られる。
【００２６】
また、本実施形態によれば、商品Ｗが棚板１１１から無くなった場合に、その商品Ｗの画像が印刷されたサンプルシート１が棚板１１１に載置された状態になっているため、商品Ｗを補充する際に、棚板１１１上における商品Ｗの載置位置を確認する作業が軽減される。
すなわち、店員は、棚板１１１の前方側に立てかけられている値札３００（商品名や価格が記載された札）等を見なくても、サンプルシート１により商品Ｗを置く位置を認識することができる。
【００２７】
次に、本考案の第２実施形態の商品サンプルシート１０を図２に基づいて説明する。
ここで、図２は、本考案の第２実施形態の商品サンプルシートの模式図であり、図２（ａ）は、商品サンプルシート上に商品が載置されている状態を示した模式図であり、図２（ｂ）は、商品サンプルシート上に載置された商品を持ち上げた状態を示した模式図であり、図２（ｃ）は、商品サンプルシート上に商品が載置されていない状態を示した模式図である。
なお、第２実施形態においても、上述した第１実施形態と同様、商品サンプルシート１０に印刷されている商品Ｗの画像が惣菜（容器に収容された惣菜）の画像である場合を例にする。
【００２８】
図示するように、商品サンプルシート（以下、単に「サンプルシート」という）１０は、平面板を一方面側に向けて山折りに折り曲げてなされた折曲部１０ｃが形成された弾性を有する本体部を備えている。
また、前記本体部は、折曲部１０ｃから一方側に延びる第１面部１０ａと、折曲部１０ｃから他方側（前記一方側と逆方向）に延びる第２面部１０ｂとを備え、第１面部１０ａに商品Ｗの画像（容器に収容された惣菜の画像）が印刷されている。
なお、画像には、上述した第１実施形態と同様、カメラで商品Ｗを撮影して得られたカラー写真やコンピュータグラフィックス（Computer Graphics）等で作成した商品Ｗの３次元画像等が用いられる。
また、第２実施形態においても、前記商品Ｗの画像に、「商品名」や「商品の価格」を示すテキストデータが重ねて印字されていてもよい。或いは、印刷される画像には、商品Ｗの画像だけではなく、「商品名」や「商品の価格」のデータが含まれていてもよい。
【００２９】
また、サンプルシート１０は、第１面部１０ａの外縁形状が、前記印刷された商品Ｗの画像の輪郭形状と同様の形状になっている。
なお、第２面部１０ｂはどのような形状でもよい（例えば、第２面部１０ｂは矩形状に形成されていてもよい。
また、上記の印刷された商品Ｗの画像は、商品Ｗと略同一寸法の大きさになされていることが望ましい。
また、サンプルシート１０は、平面板を一方面側に向けて山折りに折り曲げることで弾性を有することができるものであれば（板バネの機能を有するものであれば）、どのような材料で形成されていてもよい（例えば、サンプルシート１０は、ポリ塩化ビニル等の合成樹脂により形成される）。
【００３０】
また、サンプルシート１０は、一方面を上方に向けた状態（折曲部１０ｃを上方に向けた状態）で、冷蔵ショウケース１００の棚板１１１上に載置され利用されるようになっている。
また、棚板１１１上に載置されたサンプルシート１０には、商品Ｗ（第１面部１０ａに印刷された画像の商品Ｗ）が載置されるようになっている（図２に示すように、折曲部１０ｃの上に、商品Ｗが載置されて利用される）。
【００３１】
そして、図２（ａ）に示すように、棚板１１１上に載置されたサンプルシート１０に、商品Ｗが載置されると、折曲部１０ｃ、第１面部１０ａ及び第２面部１０ｃが商品Ｗの荷重により棚板１１１側に押し込まれて（付勢されて）略平面板状になる。
また、図２（ａ）に示す状態において、サンプルシート１０に載置された商品Ｗが取り除かれると、図２（ｂ）及び図２（ｃ）に示すように、弾性により折曲部１０ｃが棚板１１１から押し上がる。これにより、第１面部１０ａ及び第２面部１０ｃが、棚板１１１に対して斜面を形成するようになる。
【００３２】
このように、第２実施形態によれば、自身の上に載置された商品Ｗが取り除かれると、弾性により折曲部１０ｃが棚板１１１から押し上がり第１面部１０ａ及び第２面部１０ｂが、棚板１１１に対して斜面を形成するようになる。
そして、サンプルシート１０は、棚板１１１に対して斜面を形成する第１面部１０ａに商品Ｗの画像が印刷されているため（図２（ｃ）参照）、棚板１１１に載置した商品が棚板１１１から無くなった場合に、顧客の視覚に商品Ｗの画像が入るようになる。
その結果、第２実施形態のサンプルシート１０を用いることで、棚板１１１に商品Ｗがなくても、顧客に対し、あたかも商品Ｗが棚板１１１に載置されているように感じさせることができる。
なお、第２実施形態は、商品Ｗの画像が印刷された第１面部１０ａが斜面を形成している分、上述した第１実施形態のものより、顧客の視覚に商品Ｗの画像が入り易くなる。
【００３３】
また、第２実施形態においても、第１実施形態と同様、商品Ｗが棚板１１１から無くなった場合に、その商品Ｗの画像が印刷されたサンプルシート１０が棚板１１１に載置された状態になっているため、商品Ｗを補充する際に、棚板１１１上の商品Ｗの載置位置を確認する作業が軽減される。
また、第２実施形態は、一方面の上に商品Ｗが載置された場合に、折曲部１０ｃ、第１面部１０ａ及び第２面部１０ｂが商品Ｗの荷重により棚板１１１側に押し込まれて平板状になるため、棚板１１１上の収納スペースの減少を招くことはない（すなわち、サンプルシート１０は、棚板１１１に設置されても、その上に、商品Ｗが載置された場合に、棚板１１１上のスペースを占有することがないため邪魔になることはない）。
【００３４】
次に、本考案の第３実施形態の商品サンプルシート２０を図３に基づいて説明する。
ここで、図３は、本考案の第３実施形態の商品サンプルシートの模式図であり、図３（ａ）は、商品サンプルシート上に商品が載置されている状態を示した模式図であり、図３（ｂ）は、商品サンプルシート上に載置された商品を持ち上げた状態を示した模式図であり、図３（ｃ）は、商品サンプルシート上に商品が載置されていない状態を示した模式図である。
なお、第３実施形態では、第２実施形態と同様、商品サンプルシート１０に印刷されている商品の画像が惣菜（容器に収容された惣菜）の画像である場合を例にする。
【００３５】
図示するように、商品サンプルシート（以下、単に「サンプルシート」という）２０は、棚板１１１の上に載置される面板状の基部２０ｂと、基部２０ｂの一端部から他端部に向けて延びる面板状の商品載置面部２０ａとを備えた弾性を有する本体部を有している。また、商品載置面部２０ａは、基部２０ｂに一端部が接続され、他端部が自由端となっている。
なお、商品載置面部２０ａは、前記一端部から他端部に向け、且つ斜め上方に延設されている（基部２０ｂに対して「所定角度θ」傾いた斜面が形成されている）。
これにより、前記本体部は、商品載置面部２０ａに商品Ｗが載置されていない場合に、断面視Ｖ字状に形成される（図３（ｂ）、図３（ｃ）参照）。
【００３６】
また、商品載置面部２０ａの一方面には商品Ｗの画像が印刷されている。
また、前記画像には、上述した第２実施形態と同様、カメラで商品Ｗを撮影して得られたカラー写真やコンピュータグラフィックス（Computer Graphics）等で作成した商品Ｗの３次元画像等が用いられる。
なお、第３実施形態においても、前記商品Ｗの画像に、「商品名」や「商品の価格」を示すテキストデータが重ねて印字されていてもよい。或いは、印刷される画像には、商品Ｗの画像だけではなく、「商品名」や「商品の価格」のデータが含まれていてもよい。
【００３７】
また、商品載置面部２０ａ及び基部２０ｂの外縁形状は、商品載置面部２０ａに印刷された商品Ｗの画像の輪郭形状と同様の形状になっている。
また、上記の印刷された商品Ｗの画像は、商品Ｗと略同一寸法の大きさになされていることが望ましい。
また、サンプルシート２０は、上述した形状に構成することで弾性を有することができるものであれば、どのような材料で形成されていてもよい。例えば、サンプルシート２０は、ポリ塩化ビニル等の合成樹脂により形成される。
【００３８】
また、図３（ａ）に示すように、サンプルシート２０は、商品載置面部２０ａを上方に向けた状態にし、棚板１１１上に基部２０ｂが載置され利用されるようになっている。また、棚板１１１上に基部２０ｂが載置された後は、商品載置面部２０ａの上に、前記印刷された画像（商品載置面部２０ａに印刷された画像）の商品Ｗが載置されるようになっている。
【００３９】
そして、商品載置面部２０ａに商品Ｗが載置されると、商品載置面部２０ａが商品Ｗの荷重により棚板１１１側に押し込まれて（付勢されて）基部２０ｂに当接した状態になる（商品載置部２０ａ及び基部２０ｂの相対向面が互いに当接してフラットな状態になる）。
また、図３（ａ）に示す状態において、サンプルシート２０上に載置された商品Ｗが取り除かれると、図３（ｂ）及び図３（ｃ）に示すように、弾性により商品載置面部２０ａの自由端（一端部）が棚板１１１から押し上がる。これにより、商品載置面部２０ａが、棚板１１１及び基部２０ｂに対して所定角度θ傾いた斜面を形成するようになる。
このように、第３実施形態によれば、自身の上に載置された商品Ｗが取り除かれると、弾性により商品載置面部２０ａの自由端が棚板１１１から押し上がり、商品載置面部２０ａが棚板１１１に対して斜面を形成するようになる。
【００４０】
そして、サンプルシート２０では、棚板１１１に対して斜面を形成する商品載置面部２０ａに、商品Ｗの画像が印刷されているため、棚板１１１に載置した商品Ｗが棚板１１１から無くなった場合に、顧客の視覚に商品Ｗの画像が入るようになる。その結果、第３実施形態のサンプルシート２０を用いることにより、棚板１１１に商品Ｗがなくても、顧客に対し、あたかも商品Ｗが棚板１１１に載置されているように感じさせることができる。
なお、第３実施形態は、商品Ｗの画像が印刷された商品載置面部２０ａが斜面を形成している分、上述した第１実施形態のものより、顧客の視覚に商品Ｗの画像が入り易くなる。
【００４１】
また、第３実施形態においても、第１実施形態と同様、商品Ｗが棚板１１１から無くなった場合に、その商品Ｗの画像が印刷されたサンプルシート２０が棚板１１１に載置された状態になっているため、商品Ｗを補充する際に、棚板１１１上の載置位置を確認する作業が軽減される。
また、第３実施形態のサンプルシート２０は、一方面の上に商品Ｗが載置された場合に、商品載置面部２０ａが棚板１１１側に押し込まれて基部２０ｂに当接した状態になる（フラットな状態になる）ため、棚板１１１上の収納スペースの減少を招くことはない（商品Ｗの高さ寸法によっては、商品Ｗの段積みも可能である）。
【００４２】
以上、説明したように、本実施形態（第１実施形態、第２実施形態、第３実施形態）によれば、ショウケースや商品陳列棚の棚板１１１上に載置した商品が棚板１１１から無くなった場合に、顧客に対して棚板１１１上に空きスペースが生じていることを感じさせないようにすることができる。
したがって、本実施形態（第１実施形態、第２実施形態、第３実施形態）を利用することにより、棚板１１１から商品Ｗが無くなっても、店舗が寂しい雰囲気になることが防止されると共に、商品Ｗが載置されている場合と同様の宣伝効果や購買意欲を刺激する効果が得られる。
【００４３】
また、本実施形態（第１実施形態、第２実施形態、第３実施形態）によれば、ショウケースや商品陳列棚の棚板１１１上に、商品を補充する際の手間を軽減させることができる。
なお、本考案は、上述した実施形態（第１実施形態、第２実施形態、第３実施形態）に限定されるものではなくその要旨の範囲内において種々の変形が可能である。
【００４４】
例えば、上述した第１実施形態では、本体部１ａの外縁形状が、印刷された商品Ｗの画像の輪郭形状と同様の形状になっているが、特にこれに限定されるものではない。
例えば、本体部１ａは、透明な矩形板状（又は円板状）に形成され、その透明な矩形板状（又は円板状）の一方面に、「商品Ｗの画像」及び「商品名や商品の価格」が印刷されていてもよい（すなわち、本体部１ａが商品Ｗの輪郭形状と同様の形状になっていなくてもよい）。この場合、「商品名や商品の価格」のデータは、例えば、「商品Ｗの画像」の外側の余白部分に印字される。
【００４５】
また、上述した実施形態（第１実施形態、第２実施形態、第３実施形態）では、商品Ｗが「容器に入った惣菜」である場合を示したがあくまでもこれは一例に過ぎない。
商品は、例えば、お菓子（ケーキや和菓子等のお菓子）、野菜、果物であってもいいし、食料品以外の商品であってもかまわない。
【００４６】
また、上述した商品サンプルシート１、１０、２０には、抗菌、殺菌、除菌や減菌の機能が保持されていると更に良い。
【符号の説明】
【００４７】
Ｗ    商品
１    商品サンプルシート
１ａ    本体部
１０    商品サンプルシート
１０ａ    第１面部
１０ｂ    第２面部
１０ｃ    折曲部
２０    商品サンプルシート
２０ａ    商品載置面部
２０ｂ    基部
１００    冷蔵ショウケース
１１１    棚板
【図１】
0003164715.tif 000003
【図２】
0003164715.tif 000004
【図３】
0003164715.tif 000005
【図４】
0003164715.tif 000006
【手続補正書】
【提出日】平成22年10月7日(2010.10.7)
【手続補正１】
【補正対象書類名】実用新案登録請求の範囲
【補正対象項目名】全文
【補正方法】変更
【補正の内容】
【実用新案登録請求の範囲】
【請求項１】
ショウケースや商品陳列棚の棚板の上に載置される商品サンプルシートであって、
面板状になされ、その一方面側に向けて山折りに折り曲げた折曲部を備えた断面視くの字状の弾性を有する本体部を有し、
前記本体部は、前記折曲部から一方側に延びる第１面部及び該折曲部から他方側に延びる第２面部が形成されていると共に、前記第１面部に商品の画像が印刷されており、
前記一方面を上方に向けた状態で前記棚板上に載置され、前記一方面の上に前記印刷された画像の商品が載置されると前記折曲部、前記第１面部及び前記第２面部が荷重により前記棚板側に付勢されて平板状になり、前記載置された商品が取り除かれると、前記弾性により前記折曲部が前記棚板から押し上がり前記第１面部及び前記第２面部が前記棚板に対して斜面を形成するようになっていることを特徴とする商品サンプルシート。
【請求項２】
ショウケースや商品陳列棚の棚板の上に載置される商品サンプルシートであって、
前記棚板の上に載置される面板状の基部と、前記基部の一端から他端側に向けて延びる面板状の商品載置面部とを備えた断面視Ｖ字状の弾性を有する本体部を有し、
前記商品載置面部の一方面には商品の画像が印刷され、
前記商品載置面部を上方に向けた状態で前記棚板上に前記基部が載置され、前記商品載置面部の上に前記印刷された画像の商品が載置されると、前記商品載置面部が該商品の荷重により前記棚板側に付勢され前記基部に当接した状態になり、前記載置された商品が取り除かれると、前記弾性により前記商品載置面部の自由端が押し上がり、該商品載置面部が該基部に対し斜面を形成するようになっていることを特徴とする商品サンプルシート。
【手続補正２】
【補正対象書類名】明細書
【補正対象項目名】００１１
【補正方法】削除
【補正の内容】
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】変更
【補正の内容】
【００１３】
上記課題を解決するためになされた本考案の第１態様は、ショウケースや商品陳列棚の棚板の上に載置される商品サンプルシートであって、面板状になされ、その一方面側に向けて山折りに折り曲げた折曲部を備えた断面視くの字状の弾性を有する本体部を有し、前記本体部は、前記折曲部から一方側に延びる第１面部及び該折曲部から他方側に延びる第２面部が形成されていると共に、前記第１面部に商品の画像が印刷されており、前記一方面を上方に向けた状態で前記棚板上に載置され、前記一方面の上に前記印刷された画像の商品が載置されると前記折曲部、前記第１面部及び前記第２面部が荷重により前記棚板側に付勢されて平板状になり、前記載置された商品が取り除かれると、前記弾性により前記折曲部が前記棚板から押し上がり前記第１面部及び前記第２面部が前記棚板に対して斜面を形成するようになっていることを特徴としている。
【手続補正５】
【補正対象書類名】明細書
【補正対象項目名】００１４
【補正方法】変更
【補正の内容】
【００１４】
このように、本考案の第１態様によれば、自身の上に載置された商品が取り除かれた場合、棚板に対して斜面を形成する第１面部に商品の画像が印刷されているため、棚板に載置した商品が棚板から無くなった際に、顧客の視覚に商品の画像が入るようになる（斜面を形成している分、顧客の視覚に商品の画像が入り易くなる）。
これにより、本考案の第１態様によれば、棚板に商品がなくても、顧客に対して、棚板に空きスペースが生じていることを感じさせないようにすることができる。
【手続補正６】
【補正対象書類名】明細書
【補正対象項目名】００１５
【補正方法】変更
【補正の内容】
【００１５】
また、第１態様において、商品が棚板から無くなった場合に、その商品の画像が印刷された商品サンプルシートが載置された状態になっているため、棚板に商品を補充する場合に、棚板上の載置位置を確認する作業が軽減される。
なお、本考案の第１態様は、一方面の上に商品が載置された場合に、前記折曲部、前記第１面部及び前記第２面部が荷重により前記棚板に押し当てられて平板状になるため、棚板上の収納スペースの減少を招くことはない。
【手続補正７】
【補正対象書類名】明細書
【補正対象項目名】００１６
【補正方法】変更
【補正の内容】
【００１６】
また、本考案の第２態様は、ショウケースや商品陳列棚の棚板の上に載置される商品サンプルシートであって、前記棚板の上に載置される面板状の基部と、前記基部の一端から他端側に向けて延びる面板状の商品載置面部とを備えた断面視Ｖ字状の弾性を有する本体部を有し、前記商品載置面部の一方面には商品の画像が印刷され、前記商品載置面部を上方に向けた状態で前記棚板上に前記基部が載置され、前記商品載置面部の上に前記印刷された画像の商品が載置されると、前記商品載置面部が該商品の荷重により前記棚板側に付勢され前記基部に当接した状態になり、前記載置された商品が取り除かれると、前記弾性により前記商品載置面部の自由端が押し上がり、該商品載置面部が該基部に対し斜面を形成するようになっていることを特徴としている。
【手続補正８】
【補正対象書類名】明細書
【補正対象項目名】００１７
【補正方法】変更
【補正の内容】
【００１７】
このように、本考案の第２態様によれば、自身の上に載置された商品が取り除かれた場合、斜面を形成する商品載置面部に商品の画像が印刷されているため、棚板に載置した商品が棚板から無くなった際に、顧客の視覚に商品の画像が入るようになる。
これにより、本考案の第２態様によれば、棚板に商品がなくても、顧客に対して、棚板に空きスペースが生じていることを感じさせないようにすることができる。
【手続補正９】
【補正対象書類名】明細書
【補正対象項目名】００１８
【補正方法】変更
【補正の内容】
【００１８】
また、第２態様において、商品が棚板から無くなった場合に、その商品の画像が印刷された商品サンプルシートが載置された状態になっているため、棚板に商品を補充する場合に、棚板上の載置位置を確認する作業が軽減される。
なお、第２態様は、商品載置面部の上に商品が載置された場合に、商品載置面部が商品の荷重により棚板に押し当てられて基部に当接する（商品載置面部及び基部が平面状になる）。そのため、本考案の第２態様は、棚板上の収納スペースの減少を招くことはない。